(57)【要約】【課題】棚板の上下の間隔と仕切板の上下方向の高さとの差が小さく、また左右横棚板の奥行きが深くとも取り付け及び取り外しが容易である陳列棚用仕切板を提供する。【解決手段】陳列棚用仕切板１０が陳列棚の前面側αから着脱自在となされていることで、左右横棚板２０の上下の間隔と仕切板１０との上下方向の高さとの差が小さくとも取り付けが可能となり、また左右横棚板２０の奥行きが深くとも前面側αから着脱自在となされていることで、陳列棚用仕切板１０は取り付け及び取り外しが容易なものとできる。【参照図】        図２【特許請求の範囲】
【請求項１】
陳列棚用仕切板は、上下縦側板間に左右横棚板が差し渡されて形成された陳列棚の、前記左右横棚板上に陳列された陳列品を仕切る仕切板であって、仕切板本体の、下端には前記左右横棚板の前端を前面側から把持する下取付部が、上方には陳列棚に取り付けられた上方取付手段に取り付けられる上取付部がそれぞれ備えられ、陳列棚の前面側から陳列棚に前記下取付部及び上取付部により着脱自在に取り付けられていることを特徴とする陳列棚用仕切板。
【請求項２】
前記下取付部及び上取付部は、前記左右横棚板の前端及び前記上方取付手段に対して、前記仕切板が前記左右横棚板上で左右に摺動可能となるように取り付けられていることを特徴とする請求項１に記載の陳列棚用仕切板。
【請求項３】
前記仕切板本体は、前端から前記陳列物に係わる情報を表示する板状の表示部が突出されて一体に設けられ、該表示部が前記仕切板と３０度〜６０度の角度をなしていることを特徴とする請求項１又は２に記載の陳列棚用仕切板。
【発明の詳細な説明】
【技術分野】
【０００１】
本発明は、陳列棚に設置し、製品間の仕切りに用いられる陳列棚用仕切板に関するものである。
【背景技術】
【０００２】
従来、陳列棚に設置されて製品間の仕切りに用いられ、棚板に対して着脱自在に取り付けられた陳列棚用仕切板としては、例えば特許文献１において、所要のガイドレ−ルにスライド片を介して仕切板がスライド自在に嵌合係止されてなる商品陳列具であって、上記スライド片は少なくともその一端部が可動自在に形成されて係脱作動すべく構成されてなることを特徴とする商品陳列具が開示されている。
【０００３】
【特許文献１】特開平１０−２８６１５１号公報
【発明の開示】
【発明が解決しようとする課題】
【０００４】
しかしながら、特許文献１に記載の如き従来の陳列棚用仕切板では、取り付けの際に上下方向に仕切板を動かして取り付けるものであり、棚板の上下間隔と仕切板の上下方向の高さとの差が小さい場合には取り付けが困難である場合がある。また棚板の奥行きが深い場合には、奧側の係脱が容易に行うことができないといった問題点があった。
【０００５】
本発明は上記の如き課題に鑑みてなされたものであり、棚板の上下の間隔と仕切板の上下方向の高さとの差が小さく、また左右横棚板の奥行きが深くとも取り付け及び取り外しが容易である陳列棚用仕切板を提供せんとするものである。
【課題を解決するための手段】
【０００６】
上記目的を達成するため、本発明は以下のような構成としている。すなわち、本発明に係わる陳列棚用仕切板は、上下縦側板間に左右横棚板が差し渡されて形成された陳列棚の、前記左右横棚板上に陳列された陳列品を仕切る仕切板であって、仕切板本体の、下端には前記左右横棚板の前端を前面側から把持する下取付部が、上方には陳列棚に取り付けられた上方取付手段に取り付けられる上取付部がそれぞれ備えられ、陳列棚の前面側から陳列棚に前記下取付部及び上取付部により着脱自在に取り付けられていることを特徴とするものである。
【０００７】
また前記下取付部及び上取付部は、前記左右横棚板の前端及び前記上方取付手段に対して、前記仕切板が前記左右横棚板上で左右に摺動可能となるように取り付けられていることを特徴とするものである。
【０００８】
また前記仕切板本体は、前端から前記陳列物に係わる情報を表示する板状の表示部が突出されて一体に設けられ、該表示部が前記仕切板と３０度〜６０度の角度をなしていることを特徴とするものである。
【発明の効果】
【０００９】
請求項１に記載の本発明に係わる陳列棚用仕切板によれば、陳列棚の前面側から着脱自在となされていることで、左右横棚板の上下の間隔と仕切板の上下方向の高さとの差が小さくとも取り付けが可能となり、また左右横棚板の奥行きが深くとも前面側から着脱自在となされていることで、取り付け及び取り外しが容易なものとできる。
【００１０】
また請求項２の発明によれば、陳列棚の陳列物の量や種類に応じて仕切板により仕切られるスペースを調節することができ、また下取付部が左右横棚板の前端を把持していることで、摺動時に仕切板が陳列棚の背面側に脱落し陳列物に紛れ込む恐れがなく好ましい。
【００１１】
また請求項３の発明によれば、表示部が仕切板に対して３０度〜６０度の角度をなしていることで、陳列棚の正面側方向からの表示部の内容を確認することが容易となり好ましい。
【発明を実施するための最良の形態】
【００１２】
本発明に係わる最良の実施の形態について、図面に基づき以下に具体的に説明する。
【００１３】
図１は、本発明に係わる陳列棚用仕切板の、実施の一形態を示す斜視図である。陳列棚用仕切板１０は、ポリプロピレンからなる厚さ２ｍｍの板状体であり、仕切板本体１の前面側α前端の下端には、前面側αに張り出され背面側βが開口された鈎状の下取付部２が設けられ、上端のやや背面側βよりには背面側βが開口された袋溝形状の取付孔３１を備えた上取付部３が設けられており、仕切板本体１の前端には、仕切板本体１と角度θが４５度となされて板状の表示部４が設けられ、表示部４には陳列品に係わる情報を表示するラベル等を貼付する表示面４１が備えられている。仕切板本体１の下辺は、左右横棚板に当接するために直線となされているが、上辺は上取付部３が設けられた上段辺部１１と、上段辺部１１より前面側αで仕切板本体１の上下方向の中央付近の高さに下段辺部１２を備えるものとなされている。
【００１４】
図２は、図１に示した陳列棚用仕切板１０の、陳列棚への取り付けを説明する斜視図である。陳列棚は、上下縦側板３０間に左右横棚板２０が差し渡されて形成されたもので、左右横棚板２０は通常上下に複数段設けられる。上下縦側板３０間の、左右横棚板２０の上方には更に丸棒状のバーである上方取付手段５が取り付けられている。陳列棚用仕切板１０の取り付けにおいては、まず下取付部２の鈎状の先端２１を、左右横棚板２０の下方に回り込ませることで左右横棚板２０の前端を下取付部２により前面側から把持する。次に上方取付手段５に上取付部３の取付孔３１の開口部を押し付けて、上方取付手段５を取付孔３１に嵌着することで、仕切板本体１の上端及び下端がそれぞれ固定されて、陳列棚用仕切板１０は陳列棚に前面側αから着脱自在に取り付けられる。仕切板本体１は、ある程度の可とう性を有するポリプロピレンからなることで、下取付部２の鈎状先端の回り込みや上取付部３の取付孔３１の嵌着は円滑に行うことができる。
【００１５】
図３は、陳列棚用仕切板１０が陳列棚に取り付けられた状態を示す側面図である。左右横棚板２０は金属板からなるもので、陳列物の重量に耐えうるように前端は鈎状の折り曲げ部２０１となされているが、下取付部２の鈎状の先端２１を、予めこの折り曲げ部２０１に対して下方から回り込むことで嵌着されるように形成しておくことで、陳列棚用仕切板１０の取り付けはより容易で且つ強固なものとなり得る。
【００１６】
図４は、左右横棚板２０に陳列物が陳列された状態を説明するもので、イ）は側面図、ロ）は正面図である。イ）においては陳列物Ａと陳列棚用仕切板１０との位置関係を示しているが、本図において、陳列物Ａは外形を一点波線で示したデジタルビデオディスク（以下、ＤＶＤという）ケースＡ１と、外形を波線で示したコンパクトディスク（以下、ＣＤという）ケースＡ２である。上方取付手段５が設けられる高さは高さの大きいＤＶＤケースＡ１が収納可能となるようになされ、陳列棚用仕切板１０はＤＶＤケースである陳列物Ａ１及びＣＤケースである陳列物Ａ２の仕切板を兼ねることができるようになされている。上段辺部１１は上取付部３を支持することができれば任意の位置に設けてもよいが、下段辺部１２は陳列物Ａ１及びＡ２のいずれの上端より低い位置に設けられている。
【００１７】
ロ）は、説明の便宜上、表示部４を省略しているが、例えばロ）に示す如く、高さの大きい陳列物Ａ１が隙間無く陳列されている場合で陳列物Ａ１の１つを取り出そうとした際に、上方のスペースに余裕がない場合には取り出しが非常に困難となるが、陳列物Ａ１の間に陳列棚用仕切板１０が設けられ、前面側αに陳列物Ａ１の上端より低い位置に下段辺部１２が設けられていることで、陳列物Ａ１の間に陳列棚用仕切板１０の厚み分だけ隙間Ｄが生じ、その隙間Ｄを利用して陳列物Ａ１を容易に取り出すことができるようになり得る。
【００１８】
陳列棚用仕切板１０を形成するのに用いる材料は、ポリプロピレン等の硬質又は半硬質の合成樹脂を用いれば、ある程度の強度及び可とう性を兼ね備えたものとなり、陳列物の仕切及び嵌合や嵌着を行うことが容易となるが、特に限定されるものではなく、陳列物の重量が大きく、仕切板への付加が大きいことが予想される場合には、アルミニウム板、鉄板、ステンレス板等の金属材料や、アルミ−樹脂複合板やＦＲＰ等の複合材料を適宜用いて形成してもよい。
【００１９】
図５は、本発明に係わる陳列棚用仕切板１０を用いたピッキングシステムの一例を説明する正面図である。上下縦側板３０間に複数段設けられた左右横棚板２０により、複数段の横方向へ延びる陳列スペースＰが設けられているが、各々の陳列スペースＰには縦長形状のピッキング用の表示器Ｂが左端に設けられている。陳列棚用仕切板１０の表示部４には、表示器Ｂにより表示される内容に対応した情報が記載されており、例えば表示器Ｂの上から内照式のボタンＢ１、残数表示Ｂ２、個数表示Ｂ３、場所表示Ｂ４が設けられ、ボタンＢ１の点灯によりピッキングすべき陳列スペースＰが示され、残数表示Ｂ２が当該陳列スペースＰから陳列棚用仕切板１０により仕切られて形成された区画Ｐ１の内、ピッキングが必要な区画数を表示し、個数表示Ｂ３が一つの区画からピッキングすべき陳列物Ａの個数を示し、場所表示Ｂ４がピッキングすべき区画Ｐ１を示すものである。陳列棚用仕切板１０の表示部４により表示されるのは、主として場所表示Ｂ４に係わるものである。
【００２０】
まずピッキング作業者が陳列棚の前に行くと、ボタンＢ１が点灯し、ピッキングすべき陳列スペースＰがどの段であるかを明示する。まず最初に、表示器Ｂに表示された場所表示Ｂ４により示された区画Ｐ１から個数表示Ｂ３に示された数量の陳列物Ａをピッキングして、ボタンＢ１を押すと残数表示Ｂ２が１つ減じ、次のピッキングに係わる個数表示Ｂ３及び場所表示Ｂ４が示される。表示部４が仕切板本体に対して３０度〜６０度の角度をなしていることで、陳列棚正面からのピッキングにおける表示内容の視認が容易なものとなる。このような方法で順次ピッキングを繰り返し、残数表示Ｂ２が０になるとボタンＢ１が消灯してピッキングが終了したことを示すことができる。かかるピッキングシステムは陳列スペースＰにおける陳列物の種類及び数量の変化が激しく、陳列棚用仕切板１０が前面側から着脱自在となされていることの利便性は非常に高いものとなり得る。
【図面の簡単な説明】
【００２１】
【図１】本発明に係わる陳列棚用仕切板の、実施の一形態を示す斜視図である。
【図２】図１に示した陳列棚用仕切板の、陳列棚への取り付けを説明する斜視図である。
【図３】図１に示した陳列棚用仕切板の、陳列棚への取り付けを説明する側面図である。
【図４】陳列棚用仕切板と陳列物との位置関係の一例を示す説明図である。
【図５】本発明に係わる陳列棚用仕切板を用いたピッキングシステムの一例を示す正面図である。
【符号の説明】
【００２２】
１    仕切板本体
２    下取付部
３    上取付部
４    表示部
５    上方取付手段
１０  陳列棚用仕切板
２０  左右横棚板
３０  上下縦側板
【図１】
2005323623.tif 000002
【図２】
2005323623.tif 000003
【図３】
2005323623.tif 000004
【図４】
2005323623.tif 000005
【図５】
2005323623.tif 000006